(57)【要約】【課題】起立部が身体の動きによって倒れ込むのを防止し、臀部の溝に対する密着性を維持して、体液漏れを防止する。【解決手段】表面シート３の肌側両側部にそれぞれ、幅方向中央部で重なり代１４を有するように２枚のシート8A、8Bを配設する。前記２枚のシート8A、8Bは、臀部溝対応部位Ｈより前側で、一方のシート8Aを上層側、他方のシート8Bを下層側にして表面シート３側の面に接合され、臀部溝対応部位Ｈより後側で、一方のシート8Aを下層側、他方のシート8Bを上層側にして表面シート３側の面に接合され、臀部溝対応部位Ｈにおいて、２枚のシート8A、8Bの幅方向内側が自由端とされ、前記自由端が交差するように設けられるとともに、それぞれ幅方向内側部分に長手方向に沿って弾性伸縮部材13…が配設されることにより、ナプキン幅方向中央部に長手方向に沿って肌側に起立する起立部10を形成している。【選択図】図１
2014188332.tif 000002
【特許請求の範囲】
【請求項１】
透液性表面シートと裏面シートとの間に吸収体が介在した吸収性物品において、
前記透液性表面シートの肌側両側部にそれぞれ、幅方向中央部で重なり代を有するように２枚のシートが配設され、
前記２枚のシートは、着用者の臀部の溝に対応する部位より前側において、前記重なり代部分の一方のシートを上層側、他方のシートを下層側に積層した状態でそれぞれ前記透液性表面シート側の面に接合されるとともに、着用者の臀部の溝に対応する部位より後側において、前記重なり代部分の一方のシートを下層側、他方のシートを上層側に積層した状態でそれぞれ前記透液性表面シート側の面に接合され、着用者の臀部の溝に対応する部位及びその近傍において、前記２枚のシートが前記透液性表面シート側の面に接合されずにそれぞれ幅方向内側が自由端とされ、前記自由端が交差するように設けられるとともに、それぞれ幅方向内側部分に長手方向に沿って弾性伸縮部材が配設されることにより、前記吸収性物品の幅方向中央部に長手方向に沿って肌側に起立する起立部が形成されていることを特徴とする吸収性物品。
【請求項２】
前記重なり代の幅は、前記起立部の基端幅とほぼ同等である請求項１記載の吸収性物品。
【請求項３】
前記２枚のシートは、前記起立部以外の部位において、幅方向内側端が幅方向外側に折り返された状態でそれぞれ前記透液性表面シート側の面に固定されている請求項１、２いずれかに記載の吸収性物品。
【請求項４】
前記弾性伸縮部材は、前記シートの自由端の先端より幅方向外側に離れた位置に配置されている請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、臀部の溝に沿って肌側に起立する起立部を備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品では、臀部の溝を伝う体液漏れを防止するため、吸収性物品の臀部の溝に対応する部位の幅方向中央部に長手方向に沿って肌側に起立する起立部を備えたものが存在する。たとえば、下記特許文献１では、本体部のうち表面材側に設けられ、本体部の長手方向の中心軸に沿って延びる立体部を備え、前記立体部は、使用者の肌当接面側に配置される外側シート及び該外側シートの非肌当接面側に配置される内側シートが互いに重ねられた積層シートと、前記外側シート及び内側シートの間に挟まれて前記立体部の長手方向に延びる弾性部材と、を備え、前記積層シートの幅方向における両端が接合されて中空の筒状に形成されたものが開示されている。
【０００４】
また、下記特許文献２では、ナプキン本体の肌側表面に設けられた隆起部を有し、前記隆起部は、ナプキン本体の肌側表面において横方向に間隔を開けた立ち上がり基端を有して前記肌側表面から離れる方向へ隆起しており、肛門対向部およびその後方では、立ち上がり基端の横方向の間隔が狭く、高さ寸法が高く形成されて、臀裂部の溝などに密着しやすくしたものが開示されている。
【先行技術文献】
【特許文献】
【０００５】
【特許文献１】特許第４９２５６３２号公報
【特許文献２】特開２００６−１８１２１８号公報
【発明の概要】
【発明が解決しようとする課題】
【０００６】
しかしながら、上記特許文献１、２記載の吸収性物品では、肌側に起立する起立部が、１枚のシート材を折り畳んだ中空の筒状によって構成されているため、寝返り等によって起立部に横方向（吸収性物品の幅方向）の力が作用したときに倒れ込みやすく、臀部の溝に対する密着性が損なわれて伝い漏れを発生させる問題があった。
【０００７】
そこで本発明の主たる課題は、臀部の溝に沿って肌側に起立する起立部を備えた吸収性物品において、前記起立部が身体の動きによって倒れ込むのを防止し、臀部の溝に対する密着性を維持して、体液漏れを防止した吸収性物品を提供することにある。
【課題を解決するための手段】
【０００８】
上記課題を解決するために請求項１に係る本発明として、透液性表面シートと裏面シートとの間に吸収体が介在した吸収性物品において、
前記透液性表面シートの肌側両側部にそれぞれ、幅方向中央部で重なり代を有するように２枚のシートが配設され、
前記２枚のシートは、着用者の臀部の溝に対応する部位より前側において、前記重なり代部分の一方のシートを上層側、他方のシートを下層側に積層した状態でそれぞれ前記透液性表面シート側の面に接合されるとともに、着用者の臀部の溝に対応する部位より後側において、前記重なり代部分の一方のシートを下層側、他方のシートを上層側に積層した状態でそれぞれ前記透液性表面シート側の面に接合され、着用者の臀部の溝に対応する部位及びその近傍において、前記２枚のシートが前記透液性表面シート側の面に接合されずにそれぞれ幅方向内側が自由端とされ、前記自由端が交差するように設けられるとともに、それぞれ幅方向内側部分に長手方向に沿って弾性伸縮部材が配設されることにより、前記吸収性物品の幅方向中央部に長手方向に沿って肌側に起立する起立部が形成されていることを特徴とする吸収性物品が提供される。
【０００９】
上記請求項１記載の発明では、透液性表面シートの肌側両側部にそれぞれ、幅方向中央部で重なり代を有する状態で２枚のシートを配設し、この２枚のシートは、着用者の臀部の溝に対応する部位を基準として、各領域で以下のように設けられている。臀部溝対応部位より前側においては、前記重なり代部分の一方のシートを上層側、他方のシートを下層側に積層した状態でそれぞれ前記透液性表面シート側の面に接合されている。また、臀部溝対応部位より後側においては、前側とは逆に前記重なり代部分の一方のシートを下層側、他方のシートを上層側に積層した状態でそれぞれ前記透液性表面シート側の面に接合されている。一方、臀部溝対応部位及びその近傍においては、前記２枚のシートが前記透液性表面シート側の面に接合されずにそれぞれ幅方向内側が自由端とされ、この自由端が交差するように設けられるとともに、それぞれ幅方向内側部分に長手方向に沿って弾性伸縮部材が配設されることにより、前記吸収性物品の幅方向中央部に長手方向に沿って肌側に起立する起立部が形成されている。
【００１０】
前記起立部は、前記２枚のシートの自由端が交差する交点において、自由端の先端同士が突き合わされるように設けられるため、この交点で起立部の高さが最も高くなり、この交点より前側にいくに従って他方のシートが一方のシートの下側に徐々に入り込んで起立部の高さが徐々に低くなり、これとは逆に前記交点より後側にいくに従って一方のシートが他方のシートの下側に徐々に入り込んで起立部の高さが徐々に低くなるように形成される。
【００１１】
このように、前記起立部が、幅方向外側から内側に向けて延びる２枚のシートを前記交点で突き合わせ状態で配置することによって形成されているため、寝返り等によって起立部に横方向（吸収性物品の幅方向）の力が作用したときでも、起立部の倒れ込みが生じにくく、起立状態が維持され臀部の溝に対する密着性が損なわれることがなくなる結果、臀部溝を通じた体液の伝い漏れが防止できるようになる。
【００１２】
請求項２に係る本発明として、前記重なり代の幅は、前記起立部の基端幅とほぼ同等である請求項１記載の吸収性物品が提供される。
【００１３】
上記請求項２記載の発明では、重なり代の幅を起立部の基端幅とほぼ同等とすることにより、２枚のシートの先端を臀部溝の奥まで入り込ませるのに十分な起立高さが得られるようになる。
【００１４】
請求項３に係る本発明として、前記２枚のシートは、前記起立部以外の部位において、幅方向内側端が幅方向外側に折り返された状態でそれぞれ前記透液性表面シート側の面に固定されている請求項１、２いずれかに記載の吸収性物品が提供される。
【００１５】
上記請求項３記載の発明では、前記起立部以外の部位において、２枚のシートの幅方向内側端を幅方向外側に折り返した状態でそれぞれ前記透液性表面シート側の面に固定することによって、前記起立部においては前記折り返し部分の折り返し状態が解除されて元の展開状態に戻ろうとする結果、２枚のシートの先端同士の交点で、前記折り返し部に対応する部分同士が対面して肌側に直立するように設けられるようになる。また、前記交点の前側及び後側においても、上層側に配置されるシートの先端が肌側に直立するように設けられる。このため、前記直立部分が臀部溝のより深部にまで入り込むようになり、臀部溝に対するフィット性がより一層向上でき、体液の漏れが防止できるようになるとともに、前記直立部分が吸収性物品の長手方向に長い距離に亘って形成されるため、臀部溝にフィットしやすくなる。
【００１６】
請求項４に係る本発明として、前記弾性伸縮部材は、前記シートの自由端の先端より幅方向外側に離れた位置に配置されている請求項１〜３いずれかに記載の吸収性物品が提供される。
【００１７】
上記請求項４記載の発明では、自由端の先端部分に弾性伸縮部材を配置すると、弾性伸縮部材によって収縮したシートが硬くなり肌が擦れるおそれがあるため、前記弾性伸縮部材を前記シートの自由端の先端より幅方向外側に離れた位置に配置するようにしている。
【発明の効果】
【００１８】
以上詳説のとおり本発明によれば、臀部の溝に沿って肌側に起立する起立部を備えた吸収性物品において、前記起立部が身体の動きによって倒れ込むのが防止でき、臀部の溝に対する密着性を維持して、体液漏れが防止できるようになる。
【図面の簡単な説明】
【００１９】
【図１】本発明に係る生理用ナプキン１の一部判断展開図である。
【図２】そのII−II線矢視図である。
【図３】(A)は図１のIIIA−IIIA線矢視図、(B)は図１のIIIB−IIIB線矢視図、(C)は図１のIIIC−IIIC線矢視図である。
【図４】立体ギャザーＢＳの折り畳み状態を示す要部拡大横断面図である。
【図５】図１のV−V線矢視図である。
【図６】２枚のシート８Ａ、８Ｂの透液性表面シート３側の面への接合領域を示す平面図である。
【図７】(A)は図１のII−II線矢視図、(B)は図１のIIIB−IIIB線矢視図である。
【図８】他の形態例に係る図１のII−II線矢視図である。
【図９】他の形態例に係る、(A)は図１のIIIA−IIIA線矢視図、(B)は図１のIIIB−IIIB線矢視図、(C)は図１のIIIC−IIIC線矢視図である。
【図１０】他の形態例に係る図１のIIIB−IIIB線矢視図である。
【図１１】生理用ナプキン１の製造要領を示す平面図である。
【発明を実施するための形態】
【００２０】
以下、本発明の実施の形態について図面を参照しながら詳述する。
【００２１】
〔生理用ナプキン１の基本構造〕
本生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、体液排出部位を含む所定の長手方向範囲において左右一対の前部側立体ギャザーＢＳ１を形成するとともに、所定の臀部側部位において左右一対の後部側立体ギャザーＢＳ２を形成する立体ギャザーＢＳ、ＢＳと、着用者の臀部の溝に対応する部位（以下、臀部溝対応部位Ｈという。）においてナプキン幅方向中央部に長手方向に沿って肌側に起立する起立部１０を形成するため、前記透液性表面シート３の肌側両側部にそれぞれ配置された２枚のシート材８Ａ、８Ｂとから主に構成され、かつ前記吸収体４の周囲においては、その上下端縁部では少なくとも前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、サイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２２】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２３】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２４】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２５】
前記透液性表面シート３の幅寸法は、図示例では、図２および図３の横断面図に示されるように、吸収体４の幅よりも若干長めとされ、吸収体４を覆うだけに止まり、前記立体ギャザーＢＳ、ＢＳは前記透液性表面シート３とは別のサイド不織布７によって形成されている。前記サイド不織布７は、経血やおりもの等が浸透するのを防止する、あるいは肌触り感を高めるなどの目的に応じて、適宜の撥水処理または親水処理を施した不織布素材を用いて構成されている。かかる不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。
【００２６】
前記サイド不織布７は、図２および図３に示されるように、不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層（図示せず）を備え、ショーツに対する装着時に、前記ウイング状フラップＷ、Ｗが折返し線ＲＬ位置にて反対側に折り返し、ショーツのクロッチ部分に巻き付けて止着するようになっている。
【００２７】
前記サイド不織布７の内方側は二重に折り返され、この二重シート内部の所定位置に、その高さ方向中間部に両端または長手方向の適宜の位置が固定された複数条の糸状弾性伸縮部材１１…、１２…が配設され、体液排出部位を含む所定の長手方向範囲において、図２に示されるように、左右一対の前部側立体ギャザーＢＳ１を形成するとともに、臀部側部位において、図３(C)に示されるように、左右一対の後部側立体ギャザーＢＳ２を形成するようになっている。
【００２８】
前記立体ギャザーＢＳは、図４に示されるように、折り畳み状態で、ナプキン１の側方側から中心側方向に延在したシートが中心側位置で側方側に折り返される第１折返し部３２と、この第１折返し部３２に連続して側方側位置で中心側方向に折り返される第２折返し部３３と、この第２折返し部３３に連続して中心側位置で側方側に折り返される第３折返し部３４とによって四つ折りとされ、下層側から順に第１折返し面３５、第２折返し面３６、第３折返し面３７及び第４折返し面３８を有するように形成される。ここで、前記第４折返し面３８は、肌当接面部３１を構成している。
【００２９】
そして、同図４に示されるように、前記第２折返し部３３は、前記第４折返し面３８（肌当接面部３１）の外方側端縁３１ａよりも外側に位置するようにし、前記第４折返し面３８（肌当接面部３１）の外方側端縁３１ａよりも外側位置で前記第２折返し面３６が使用面側に接合されるようになっている。
【００３０】
前記立体ギャザーＢＳは、前記ナプキン１の体液排出部位を含む前部側から臀部溝対応部位Ｈの略前側半分までの長手区間において、図２に示されるように、前記第２折返し面３６の内、相対的に内側部分が長手方向に亘って使用面側に接合され、その他の折返し面同士は非接合とされ、前記吸収体４の側縁部又はその近傍から起立する側面起立部３０と、この側面起立部３０の先端から連続して形成されるとともに、前記ナプキン１の表面に対して略水平又は中心側に傾斜して形成される所定幅の肌当接面部３１とを有し、前記側面起立部３０が前記肌当接面部３１の外方側端縁より外側に位置した状態で起立する前部側立体ギャザーＢＳ１とされている。前記側面起立部３０及び肌当接面部３１には、それぞれ、生理用ナプキン１の長手方向に沿って、１又は複数本の、図示例では２本又は３本の糸状弾性伸縮部材１１…、１２…が配設されている。
【００３１】
臀部溝対応部位Ｈのナプキン長手方向の略中央部（後段で詳述するように、２枚のシート材８Ａ、８Ｂの自由端の先端が交差する交点であって、前記起立部１０の起立高さが最大となる位置）では、図３(B)に示されるように、第１折返し面３５、第２折返し面３６、第３折返し面３７及び第４折返し面３８のすべての面が吸収体４側に接着され、折り畳まれた状態となっている。
【００３２】
一方、臀部溝対応部位Ｈのナプキン長手方向の略後側半分においては、図３(C)に示されるように、前記第１折返し面３５と第２折返し面３６とが非接合とされ、かつ前記第２折返し面３６と第３折返し面３７とが接合されるとともに、前記第３折返し面３７と第４折返し面３８とが接合され、前記第１折返し部３２を起立点として外側方向に向けて直線傾斜状に起立する後部側立体ギャザーＢＳ２とされている。
【００３３】
従って、体液排出部位を含む所定の長手方向範囲においては、立体ギャザーの第４折返し面３８が装着者の股間部に密着するように起立し、所定の臀部側部分では直線傾斜状に起立した立体ギャザーが臀部の丸みに沿って密着するようになるため、長手方向に亘って設けられた左右一対の立体ギャザーＢＳ、ＢＳによって、それぞれの部位の身体形状に合ったフィット性の高い立体ギャザーを形成することができるとともに、後段で詳述する起立部１０の臀部溝に対するフィット性を低下させない状態で起立するようになる。
【００３４】
また、前記第２折返し部３３が前記第４折返し面３８の外方側端縁よりも外側に位置させた状態で折り畳んであるため、体液排出部位を含む所定の長手方向範囲における前部側立体ギャザーＢＳ１の自由端（第４折返し面３８の外方側端縁）と、所定の臀部側部位における後部側立体ギャザーＢＳ２の自由端（第２折返し部３３）との位置が夫々異なり、後部側立体ギャザーＢＳ２の自由端の方が相対的に外側に位置するようになる。その結果、体液排出部位を含む所定の長手方向範囲においては、図２に示されるように相対的に細幅（幅：Ｌ１）の身体密着面（第４折返し面３８）が股間部に確実に密着する一方で、臀部側部位では図３(C)に示されるように相対的に太幅（幅：Ｌ２）で形成した身体密着面（第２折返し面〜第４折返し面の積層部分）が身体に密着し、確実に横漏れを防止できるようになる。
【００３５】
なお、前記前部側立体ギャザーＢＳ１よりも前側及び前記後部側立体ギャザーＢＳ２よりも後側においては、図５に示されるように、第１折返し面３５、第２折返し面３６、第３折返し面３７及び第４折返し面３８のすべての面が接着され、折り畳まれた状態となっている。
【００３６】
ところで、図２に示されるように、前記透液性表面シート３とサイド不織布７との間には、前記起立部１０を形成するための２枚のシート材８Ａ、８Ｂが介在されている。詳細には、前記透液性表面シート３の肌側両側部にそれぞれ、幅方向中央部で重なり代を有するように２枚のシート材８Ａ、８Ｂが配設されている。前記２枚のシート材８Ａ、８Ｂは、天然繊維、合成繊維または再生繊維などを素材として、適宜の加工法によって形成されたものを使用することができるが、好ましくは体液透過性及び親水性を備えた不織布を用いるのがよい。
【００３７】
前記２枚のシート材８Ａ、８Ｂはそれぞれ、少なくとも内方側が二重に折り返され、この二重シート内部の所定位置に、両端または長手方向の適宜の位置が固定された１条又は複数条の、図示例では３条の弾性伸縮部材１３が配設されている。前記弾性伸縮部材１３としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を糸状又はテープ状にしたものを用いることができる。
【００３８】
前記２枚のシート材８Ａ、８Ｂは、シート自体が伸縮性又は捲縮性を有するか、テンションをかけた伸縮素材を貼り合わせたものを使用することも可能である。このような伸縮素材としては、ラテックス、ウレタン、オレフィン系の繊維からなる伸縮材が好適に用いられる。また、後加工によって収縮し、伸縮可能となる素材を波状に印刷することによって伸縮性を付与してもよい。
【００３９】
〔起立部１０について〕
次に、前記起立部１０について説明する。前記起立部１０は、前記２枚のシート材８Ａ、８Ｂによって形成され、臀部溝対応部位Ｈの幅方向中央部に長手方向に沿って肌側に起立した部位のことである。
【００４０】
前記２枚のシート材８Ａ、８Ｂは、臀部溝対応部位Ｈより前側において、前記重なり代１４部分の一方のシート材８Ａを上層側、他方のシート材８Ｂを下層側に積層した状態でそれぞれ前記透液性表面シート３側の面に接合されるとともに、前記臀部溝対応部位Ｈより後側において、前記重なり代１４部分の一方のシート材８Ａを下層側、他方のシート材８Ｂを上層側に積層した状態でそれぞれ前記透液性表面シート３側の面に接合されている。また、臀部溝対応部位Ｈ及びその近傍においては、前記２枚のシート材８Ａ、８Ｂが透液性表面シート３側の面に接合されずにそれぞれ幅方向内側が自由端とされ、この自由端がナプキン長手方向の略中央部で交差するように設けられるとともに、各シート材８Ａ、８Ｂの幅方向内側部分に長手方向に沿って弾性伸縮部材１３が配設されることにより、ナプキン幅方向中央部に長手方向に沿って肌側に起立する起立部１０が形成されている。
【００４１】
なお、前記２枚のシート材８Ａ、８Ｂの透液性表面シート３側への接着領域を図示すると、図６に示されるようになる。図６は、透液性表面シート３と不透液性裏面シート２との間に吸収体４を介在させ、前記透液性表面シート３の表面側に前記２枚のシート材８Ａ、８Ｂを配置した状態の平面図である。具体的に前記接着領域としては、臀部溝対応部位Ｈよりナプキン長手方向の前側及び後側では、２枚のシート材８Ａ、８Ｂが全面に亘って透液性表面シート３側の面に接着剤によって接合された固定領域（斜線部）とされている。従って、臀部溝対応部位Ｈより前側及び後側に弾性伸縮部材１３を延在させたときでも、この部分の弾性伸縮部材１３の伸縮力はほとんど作用していない。一方、臀部溝対応部位Ｈに対応する長手区間では、幅方向両側部がそれぞれ透液性表面シート３側の面に接着剤によって接合された固定領域（斜線部）とされ、少なくとも前記重なり代１４を含む幅方向中央部が前記透液性表面シート３側の面に固定されない非固定領域（非斜線部）とされている。
【００４２】
このように２枚のシート材８Ａ、８Ｂを配置することによって、図３(B)に示されるように、前記２枚のシート材８Ａ、８Ｂの自由端の先端同士がナプキン長手方向のほぼ中央部で交差するように設けられるとともに、この交点において自由端の先端同士が突き合わされるように設けられる。このとき、この交点で起立部１０の高さが最も高くなる。一方、この交点より前側にいくに従って、同図３(A)に示されるように、他方のシート材８Ｂが一方のシート材８Ａの下側に徐々に入り込んで、起立部１０の高さが徐々に低くなる。その後、臀部溝対応部位Ｈより前側部分では前述の通り両シート材８Ａ、８Ｂが重なり代１４を有しながら透液性表面シート３側に固定されている。これとは逆に、前記交点より後側にいくに従って、同図３(C)に示されるように、一方のシート材８Ａが他方のシート材８Ｂの下側に徐々に入り込んで起立部１０の高さが徐々に低くなる。その後、臀部溝対応部位Ｈより後側では前述の通り両シート材８Ａ、８Ｂが重なり代１４を有しながら透液性表面シート３側に固定されている。
【００４３】
このように、前記起立部１０は、幅方向外側から内側に向けて延びる２枚のシート材８Ａ、８Ｂの先端部同士が前記交点で突き合わされるようにして配置されることによって形成されるため、寝返り等によって起立部１０に横方向（ナプキン幅方向）の力が作用したときでも、起立部１０の倒れ込みが生じにくく、起立状態が維持され臀部の溝に対する密着性が損なわれることがなくなる結果、臀部溝を通じた体液の伝い漏れが防止できるようになる。
【００４４】
前記重なり代１４の幅は、図７に示されるように、起立部１０の基端幅、すなわち臀部溝対応部位Ｈにおける両側部の接着領域同士の離間幅とほぼ同等であることが好ましい。両者の幅をほぼ同等とすることによって、同図７(B)に示されるように、２枚のシート８Ａ、８Ｂの自由端の先端部同士が突き合わされる交点において、起立部１０がほぼ正三角形に形成されるため、ナプキン幅方向からの力に対する変形がより一層生じにくくなる。重なり代１４の幅が起立部１０の基端幅より小さいと、底辺が広く高さが低い三角形となるため、臀部溝へのフィット性が低下する。一方、重なり代１４の幅が起立部１０の基端幅より大きいと、製造が難しくなるとともに、底辺が狭く高さが高い三角形となるため、ナプキン幅方向の力に対して強度的に弱くなるおそれがある。
【００４５】
前記２枚のシート材８Ａ、８Ｂの重なり代１４の幅は、２４ｍｍ〜４０ｍｍ程度が好ましい。これによって、起立部１０の前記交点における起立高さが臀部溝の深さ（およそ２１ｍｍ〜３５ｍｍ）とほぼ同等となり、起立部１０の先端を臀部溝の奥まで入り込ませることができるようになる。
【００４６】
前記２枚のシート材８Ａ、８Ｂは、前記起立部１０以外の部位（起立部１０より前側及び後側）において、図８に示されるように、幅方向内側端を幅方向外側に折り返した折返し部８ａ、８ｂを形成した状態でそれぞれ透液性表面シート３側の面に固定されるようにしてもよい。これによって、起立部１０においては、図９(B)に示されるように、それぞれのシート材８Ａ、８Ｂの折返し部８ａ、８ｂの折り返し状態が解除されて元の展開状態に戻ろうとするため、２枚のシート材８Ａ、８Ｂの先端同士の交点において、前記折返し部８ａ、８ｂ同士が対面して肌側に直立する直立部が形成されるようになる結果、この直立部が臀部溝のより深部にまで入り込むようになり、臀部溝に対するフィット性が向上し、体液の漏れが防止できる。また、前記２枚のシート材８Ａ、８Ｂの先端同士の交点より前側及び後側の起立部１０においても、同図９(A)、(C)に示されるように、上層側に配置されるシートの折返し部８ａ又は８ｂが肌側に直立する直立部が形成されるため、前記直立部がナプキン長手方向の長い距離に亘って形成され、臀部溝にフィットしやすくなる。なお、前記折返し部８ａ、８ｂを形成する場合、折り返し基端部と折り返し先端部にそれぞれ弾性伸縮部材１３を配置することが望ましい。
【００４７】
図１０に示されるように、前記シート材８Ａ、８Ｂに配設される弾性伸縮部材１３は、前記シート材８Ａ、８Ｂの自由端の先端より幅方向外側に離れた位置に配置することが好ましい。自由端の先端から弾性伸縮部材１３までの前記シート材８Ａ、８Ｂに沿った距離Ｓは、０〜５ｍｍ、好ましくは１〜２ｍｍとするのがよい。先端に弾性伸縮部材１３があると、弾性伸縮部材１３によって収縮した部分が硬くなり、肌が擦れるおそれがある。先端から５ｍｍを超えて離間させると、先端がダブついて臀部溝に対するフィット性が低下するため好ましくない。
【００４８】
なお、弾性伸縮部材１３のテンションは、立体ギャザーＢＳに配置される糸状弾性伸縮部材１１、１２のテンションより高く、具体的には１．２倍〜２．０倍程度高く設定することが好ましい。これにより、起立部１０が立体ギャザーＢＳより高く起立するようになる。
【００４９】
本生理用ナプキン１の製造に当たっては、図１１に示されるように、ラインを縦流れ方向に流れる生理用ナプキンに対し、前記２枚のシート材８Ａ、８Ｂを交差させて上層側と下層側の積層状態が交互に逆転するように配置することが好ましい。これによって、生理用ナプキン１の連続的な製造が可能となる。
【００５０】
〔他の形態例〕
上記形態例では、前記立体ギャザーＢＳは、図５などに示されるように、ナプキン外縁まで延在させたサイド不織布７の内方側部分によって構成していたが、前記サイド不織布７とは別の立体ギャザー形成用不織布によって形成し、この立体ギャザーＢＳの外側にサイド不織布を積層するようにしてもよい。
【符号の説明】
【００５１】
１…生理用ナプキン、２…不透液性裏面シート、３…透液性表面シート、４…吸収体、５…クレープ紙、７…サイド不織布、８Ａ・８Ｂ…シート材、１０…起立部、１１・１２…糸状弾性伸縮部材、１３…弾性伸縮部材
【図１】
2014188332.tif 000003
【図２】
2014188332.tif 000004
【図３】
2014188332.tif 000005
【図４】
2014188332.tif 000006
【図５】
2014188332.tif 000007
【図６】
2014188332.tif 000008
【図７】
2014188332.tif 000009
【図８】
2014188332.tif 000010
【図９】
2014188332.tif 000011
【図１０】
2014188332.tif 000012
【図１１】
2014188332.tif 000013